(57)【特許請求の範囲】
【請求項１】
レーザー彫刻用印刷原版形成用樹脂組成物であって、下記式（１）で表される繰り返し単位からなるポリカーボネートジオールから製造され、数平均分子量が１０００以上３０万以下の樹脂（ａ）、数平均分子量が１００以上２０００未満であり、重合性不飽和基を有する有機化合物（ｂ）、レーザー吸収剤（ｃ）、及び熱重合開始剤（ｄ）を含む樹脂組成物。
【化１】
0005220443.tif 000009
（式中、Ｒ１は、炭素数２〜５０の直鎖又は分岐した炭化水素基を表し、ｎは、２〜５０の整数を表す。）
【請求項２】
レーザー吸収剤（ｃ）が、カーボンブラックである請求項１に記載の樹脂組成物。
【請求項３】
熱重合開始剤（ｄ）が、有機過酸化物である請求項１又は２に記載の樹脂組成物。
【請求項４】
樹脂（ａ）が、重合性不飽和基を有する請求項１〜３のいずれか一項に記載の樹脂組成物。
【請求項５】
樹脂（ａ）がウレタン結合を有する樹脂である請求項１〜４のいずれか一項に記載の樹脂組成物。
【請求項６】
請求項１〜５のいずれか一項に記載の樹脂組成物を支持体上に塗布する工程と、成形された樹脂組成物層を加熱し硬化せしめる工程とを含むレーザー彫刻用印刷原版の製造方法。
【請求項７】
熱硬化する工程の後に、切削、研削、および研磨からなる群より選択される少なくとも１種類の工程を含む請求項６に記載のレーザー彫刻用印刷原版の製造方法。
【請求項８】
請求項６または７のいずれか一項に記載の製造方法により得られるレーザー彫刻用印刷原版。
【請求項９】
請求項８に記載のレーザー彫刻用印刷原版を発振波長２μｍ以下のレーザーで彫刻する工程を含む印刷版の製造方法
【請求項１０】
請求項９に記載の製造方法により得られるレーザー彫刻用印刷版。
【発明の詳細な説明】
【技術分野】
【０００１】
本発明は高解像度なレーザー彫刻用印刷原版および印刷版と、それらの製造に適した樹脂組成物に関する。
【背景技術】
【０００２】
近年、フィルムなどの軟包装に印刷を施す方法としてフレキソ印刷やグラビア印刷が広汎に用いられている。グラビア印刷に使用される凹版は一般に金属製の凹版である。この凹版の表面には、通常、クロムメッキ層が設けられている。この金属製の凹版は磨耗に強く耐久性の高いものであるが、製版工程が非常に複雑であり、またメッキ工程などで大量の廃水処理が必要となる。そこで、特許文献１には熱可塑性樹脂をベースをとした樹脂層を直接レーザーで凹版を作成し、この凹版を利用してグラビア印刷を行う方法が提案されている。
また、特許文献２にはフレキソ印刷分野では高解像度なレーザー彫刻用印刷版として、伝導性カーボンブラックをレーザー吸収剤として用いた例がある。
【特許文献１】特開平７−２７６８３７号公報
【特許文献２】国際公開２００４／０９１９２７号パンフレット
【発明の開示】
【発明が解決しようとする課題】
【０００３】
しかし、特許文献１に開示されている樹脂層を用いた印刷版は耐溶剤性が十分でなく、版を形成する際に用いる溶剤により印刷版作製時に版が膨潤してしまい、所望の設計パターンを有する印刷版が得られない。さらに印刷に用いる溶剤インキにより印刷時にも版が膨潤してしまい、所望の印刷パターンが得られないという問題がある。
特許文献２に開示されている技術ではバインダーとしてスチレン−ブタジエンブロックコポリマーやジエン系ゴムの記載があるが、特許文献１と同様に耐溶剤性が十分でなく、所望の印刷パターンが得られないという問題がある。
以上のことより、耐溶剤性に優れた樹脂製印刷版、環境対応性を考慮して製版工程で溶剤不要であるレーザーによる彫刻が可能な樹脂製印刷原版、さらには近赤外線レーザーで高解像度な彫刻が可能な樹脂製印刷原版の開発が求められている。
すなわち本発明は、近赤外線レーザー彫刻が可能で、かつ、耐溶剤性に優れ印刷時に用いる溶剤インキによる膨潤が十分に抑制されたレーザー彫刻用印刷原版及び印刷版を提供するものである。更に当該印刷原版の製造に適した樹脂組成物をも提供するものである。
【課題を解決するための手段】
【０００４】
本発明者等は、前記課題を解決するために樹脂組成物について鋭意検討した結果、式（１）で表される繰り返し単位からなるポリカーボネートジオールを含む、数平均分子量が３００以上３０万以下の重合性不飽和基を有する樹脂（ａ）、数平均分子量が１万未満の重合性不飽和基を有する有機化合物（ｂ）、レーザー吸収剤（ｃ）および、熱重合開始剤（ｄ）を含有するレーザー彫刻印刷原版用樹脂組成物からなる印刷原版を含む樹脂組成物を熱硬化する事により得られるレーザー彫刻用印刷原版を用いて、上記課題を解決できることを見出し、本発明を完成させた。
すなわち、本発明は以下の通りである。
【０００５】
［１］  下記式（１）で表される繰り返し単位からなるポリカーボネートジオールを含み、数平均分子量が３００以上３０万以下の樹脂（ａ）、数平均分子量が１万未満であり重合性不飽和基を有する有機化合物（ｂ）、レーザー吸収剤（ｃ）、及び熱重合開始剤（ｄ）を含む樹脂組成物からなる樹脂層を熱硬化する事により得られるレーザー彫刻用印刷原版。
【０００６】
【化１】
0005220443.tif 000002
【０００７】
（式中、Ｒ１は、炭素数２〜５０の直鎖又は分岐した炭化水素基を表し、ｎは、２〜５０の整数を表す。）
［２］  樹脂（ａ）がウレタン結合を有する樹脂である前項１に記載のレーザー彫刻用印刷原版。
［３］  熱重合開始剤（ｄ）が有機過酸化物である前項１又は２に記載のレーザー彫刻用印刷原版。
［４］  樹脂（ａ）が、数平均分子量１０００以上５万以下である前項１から３のいずれか一項に記載のレーザー彫刻用印刷原版。
［５］  樹脂（ａ）が、重合性不飽和基を有する前項１〜４いずれか一項記載のレーザー彫刻用印刷原版。
［６］  レーザー吸収剤（ｃ）が、カーボンブラックである前項１〜５いずれか一項に記載のレーザー彫刻用印刷原版。
［７］  印刷原版のトルエンに対する質量変化率が５０％以下である前項１〜６のいずれか一項に記載のレーザー彫刻用印刷原版。
［８］  印刷原版が円筒状である前項１〜７のいずれか１項に記載のレーザー彫刻用印刷原版。
［９］  印刷原版の表面の中心線平均粗さＲａが０．０１μｍ以上、０．４μｍ以下である前項１〜８のいずれか１項に記載のレーザー彫刻用印刷原版。
［１０］  印刷原版がグラビア印刷用である前項１〜９のいずれか一項に記載のレーザー彫刻用印刷原版。
［１１］  前項１〜１０のいずれか一項に記載のレーザー彫刻用印刷原版を発振波長２μｍ以下のレーザーで彫刻されてなる印刷版。
［１２］  レーザー彫刻用印刷原版形成用樹脂組成物であって、下記式（１）で表される繰り返し単位からなるポリカーボネートジオールを含み、数平均分子量が３００以上３０万以下の樹脂（ａ）、数平均分子量が１万未満であり重合性不飽和基を有する有機化合物（ｂ）、レーザー吸収剤（ｃ）、及び熱重合開始剤（ｄ）を含む樹脂組成物。
【０００８】
【化２】
0005220443.tif 000003
【０００９】
（式中、Ｒ１は、炭素数２〜５０の直鎖又は分岐した炭化水素基を表し、ｎは、２〜５０の整数を表す。）
［１３］  樹脂（ａ）がウレタン結合を有する樹脂である前項１２に記載の樹脂組成物。
［１４］  熱重合開始剤（ｄ）が有機過酸化物である前項１２又は１３に記載の樹脂組成物。
［１５］  樹脂（ａ）が、数平均分子量１０００以上５万以下であり、重合性不飽和基を有する前項１２〜１４のいずれか一項に記載の樹脂組成物。
［１６］  レーザー吸収剤（ｃ）が、カーボンブラックを含む前項１２から１５のいずれか一項に記載の樹脂組成物。
［１７］  円筒状支持体上に前項１２〜１６いずれか一項に記載の樹脂組成物を塗布する工程と、該円筒状に成形された樹脂組成物層を加熱し硬化せしめる工程とを含むレーザー彫刻用印刷原版の製造方法。
［１８］  熱硬化する工程の後に、更に、表面粗度を調整する工程を含む前項１７に記載のレーザー彫刻用印刷原版の製造方法。
［１９］  表面粗度を調整する工程が、切削、研削、および研磨からなる群より選択される少なくとも１種類の工程を含む前項１８に記載のレーザー彫刻用印刷原版の製造方法。
［２０］  前項１〜１０のいずれか一項に記載のレーザー彫刻用印刷原版を発振波長２μｍ以下のレーザーで彫刻する工程を含む印刷版の製造方法。
【発明の効果】
【００１０】
本発明によれば近赤外線レーザーによる彫刻が可能で、耐溶剤性に優れた印刷原版及び印刷版を提供できる。
【発明を実施するための最良の形態】
【００１１】
以下、本発明を実施するための最良の形態（以下、本実施の形態）について詳細に説明する。尚、本発明は、以下の実施の形態に限定されるものではなく、その要旨の範囲内で種々変形して実施することができる。
［樹脂組成物］
本実施の形態の樹脂組成物は、特定の繰り返し単位からなるポリカーボネートジオールを含み、数平均分子量が３００以上３０万以下の樹脂（ａ）、数平均分子量が１万未満であり重合性不飽和基を有する樹脂（ａ）とは異なる有機化合物（ｂ）、レーザー吸収剤（ｃ）、熱重合開始剤（ｄ）を含有する。該樹脂組成物はレーザー彫刻用印刷原版の製造に用いることが可能である。
［樹脂（ａ）］
本実施の形態のポリカーボネートジオールについて説明する。
本実施の形態のポリカーボネートジオールは、下記式（１）で表される繰り返し単位からなることが必須要件であり、印刷版又は印刷原版の製造に用いられるものである。
【００１２】
【化３】
0005220443.tif 000004
【００１３】
（式中、Ｒ１は、炭素数２〜５０の直鎖又は分岐した炭化水素基を表し、ｎは、２〜５０の整数を表す。）
各種溶剤に対し卓越した耐溶剤性を発現させるために、ポリカーボネートジオールが前記式（１）で表される繰り返し単位からなることが必要である。
前記式（１）において、Ｒ１は、炭素数２〜５０の直鎖又は分岐した炭化水素基を表す。Ｒ１は不飽和結合を含んでも構わない。Ｒ１の炭素数が２以上であることが、安定性及び耐溶剤性の観点から好ましい。Ｒ１の炭素数が５０以下であることによりポリカーボネートジオールの工業的製造を良好に行うことができる。
【００１４】
前記式（１）において、Ｒ１は単一成分であっても複数の成分からなっても構わない。Ｒ１としては、下記式（２）
（ＣＨ２）ｘ    （２）
（式中、ｘは２〜５０の整数を表す。）
で表されるポリメチレン基が好ましく、より好ましくは、ｘが２〜３０のポリメチレン基である。
前記式（１）において、ｎは、２〜５０の整数を表す。ｎが２以上であることが、耐溶剤性の観点から好ましい。ｎが５０以下であることが、耐溶剤性の観点から好ましく、ポリカーボネートジオールの工業的製造を良好に行うことができる。入手容易性や取り扱いの容易性の観点から、ｎのより好ましい範囲は２〜３０であり、さらに好ましい範囲は２〜１２である。
【００１５】
本実施の形態のポリカーボネートジオールは、両末端が水酸基である。両末端が水酸基であるのは、耐溶剤性の高い印刷版又は印刷原版を製造するのに好適な感光性樹脂組成物の製造に際して、ポリカーボネートジールと他の機能性分子などとを結合させるためである。
本実施の形態のポリカーボネートジオールは、前記式（１）に対応するジオール化合物であるＨＯ−（Ｒ１−Ｏ）ｎ−Ｈは、公知の方法（例えば、特公平５−２９６４８号公報）などにより製造することが可能である。
前記ポリカーボネートジオールとしては、下記式（３）で表される化合物が好ましい。
【００１６】
【化４】
0005220443.tif 000005
【００１７】
（式中、Ｒ１は、各々独立して炭素数２〜５０の直鎖及び／又は分岐した炭化水素基を表し、ｎは、各々独立して２〜５０の整数を表し、ａは、１以上の整数を表す。）
次に、前記ポリカーボネートジオールから製造される本実施の形態の樹脂（ａ）について説明する。
前記樹脂（ａ）は、数平均分子量が３００〜３０万であり、好ましくは５００以上２０以下、より好ましくは１０００以上１０万以下、更に好ましくは１０００以上５万以下の樹脂である。印刷原版及び印刷版の強度が向上するため繰り返しの使用にも耐え得る傾向にある点から、数平均分子量が３００以上である。一方、樹脂組成物の成形加工時の粘度が過度に上昇することがなく、熱重合開始反応が起こらない温度で円筒状に印刷体を容易に作製し得る傾向にある点から３０万以下である。ここで言う数平均分子量とは、ゲル浸透クロマトグラフィーを用いて測定し、分子量既知のポリスチレンで検量し換算した値である。
【００１８】
本実施の形態の樹脂（ａ）は、重合性不飽和基を有する。重合性不飽和基としては、ラジカル重合又は付加重合に関与し得る二重結合などが好ましい。
前記ポリカーボネートジオールから製造されるものであれば特に制限はされないが、ポリカーボネートジオールの末端水酸基と他の化合物との間で化学結合の形成を伴って製造されるポリマーである事が好ましい。化学結合の種類に特に制限はされないが、化学結合としては、ウレタン結合が好ましい。
樹脂（ａ）としては、ポリカーボネートジオールの末端水酸基が、ポリイソシアナート化合物、イソシアナトアルキルアクリレート及びイソシアナトアルキルメタクリレートなどのイソシアナート基を有する化合物など並びにヒドロキシアルキルアクリレート及びヒドロキシアルキルメタクリレートなどと化学結合を伴って製造されるポリマーであることが好ましく、アクリル基及びメタクリル基などの重合性不飽和基を有するポリマーであることが好ましい。
【００１９】
樹脂（ａ）の好ましい第１の例は、前記式（１）で表される繰り返し単位からなるポリカーボネートジオールと、当該ポリカーボネートジオールの末端水酸基の当量未満のイソシアナート基当量のポリイソシアナート化合物と、がウレタン結合により重合し、前記重合しているポリカーボネートジオールの残存する末端水酸基と、イソシアナトアルキルアクリレート及び／又はイソシアナトアルキルメタクリレートと、がウレタン結合により結合しているポリマーが挙げられる。
前記第１の例の樹脂（ａ）は、前記ポリカーボネートジオールの末端水酸基を、当該ポリカーボネートジオールの末端水酸基の当量未満のイソシアナート基当量のポリイソシアナート化合物と、イソシアナトアルキルアクリレート及び／又はイソシアナトアルキルメタクリレートと、を反応させることにより製造される。
【００２０】
本実施の形態におけるポリイソシアナート化合物としては、１分子中にイソシアナート基を２個以上有する化合物であれば制限はないが、例えば、ジイソシアナート化合物を例示すると、芳香族ジイソシアナートとしては、ジフェニルメタンジイソシアナート、トリレンジイソシアナート、テトラメチルキシリレンジイソシアナート、キシリレンジイソシアナート、ナフチレンジイソシアナート、トリジンジイソシアナート、ｐ−フェニレンジイソシアナートなど；脂肪族又は脂環式ジイソシアナートとしては、ヘキサメチレンジイソシアナート、トリメチルヘキサメチレンジイソシアナート、イソホロンジイソシアナート、ジシクロヘキシルメタンジイソシアナート、シクロヘキシレンジイソシアナート、水素化キシリレンジイソシアナートなどが挙げられる。トリイソシアナート化合物を例示すると、トリフェニルメタントリイソシアナート、トリ（イソシアナトフェニル）トリホスフェートなどが挙げられ、多官能ポリイソシアナート化合物を例示すると、ポリメリック（ジフェニルメタンジイソシアナート）などが挙げられる。印刷版又は印刷原版の耐溶剤性の観点から、ジイソシアナート化合物が好ましく、芳香族ジイソシアナートがより好ましく、トリレンジイソシアナートがさらに好ましい。
【００２１】
ポリカーボネートジオールの末端水酸基の当量未満のイソシアナート基当量とは、ポリイソシアナート化合物のイソシアナート基の当量（ｍｏｌ）が、ポリカーボネートジオールの末端水酸基の当量（ｍｏｌ）未満であることを意味する。該イソシアナート基当量としては、ポリカーボネートジオールの末端水酸基の当量未満であれば制限はされないが、ポリカーボネートジオールの末端水酸基の当量の５０〜９５％当量であることが好ましく、６０〜９０％当量であることがより好ましい。
イソシアナトアルキルアクリレート及び／又はイソシアナトアルキルメタクリレートとしては、例えば、該アクリレート化合物中のアルキル部分が炭素数２〜１０のアルキレン基などである化合物が好ましく、炭素数２又は３のアルキレン基などである化合物がより好ましい。イソシアナトアルキルアクリレート及び／又はイソシアナトアルキルメタクリレートの具体例としては、イソシアナトエチル（メタ）アクリレート、イソシアナトプロピル（メタ）アクリレートなどが挙げられる。
このようなポリマー（ａ）の中でも、下記式（４）で表されるポリマーが、極めて優れた耐溶剤性を示すことから好ましい。
【００２２】
【化５】
0005220443.tif 000006
【００２３】
（式中、Ｒｐは、各々独立して、前記式（１）で表される繰り返し単位からなるポリカーボネートジオールから両末端水酸基を除いた残基を表し、Ｒｑは、ジイソシアナート化合物からイソシアナート基を除いた残基を表し、Ｒｒは、イソシアナトアルキルアクリレート及び／又はイソシアナトアルキルメタクリレートのアルキル部分を表し、ＲＳ、ＲＴは、各々独立して、メチル基又は水素原子を表し、Ｌは、１以上の整数を表す。）
樹脂（ａ）の好ましい第２の例は、前記式（１）で表される繰り返し単位からなるポリカーボネートジオールと、当該ポリカーボネートジオールの末端水酸基の当量のポリイソシアナート化合物と、がウレタン結合により重合し、前記重合しているポリイソシアナート化合物の残存するイソシアナート基と、ヒドロキシアルキルアクリレート及び／又はヒドロキシアルキルメタクリレートと、がウレタン結合により結合しているポリマーが挙げられる。
【００２４】
前記第２の例の樹脂（ａ）は、前記ポリカーボネートジオールの末端水酸基を、当該ポリカーボネートジオールの末端水酸基の当量を超えるイソシアナート基当量のポリイソシアナート化合物と、ヒドロキシアルキルアクリレート及び／又はヒドロキシアルキルメタクリレートとを反応させることにより製造される。
本実施の形態におけるポリイソシアナート化合物としては、１分子中にイソシアナート基を２個以上有する化合物であれば制限はないが、例えば、ジイソシアナート化合物を例示すると、芳香族ジイソシアナートとしては、ジフェニルメタンジイソシアナート、トリレンジイソシアナート、テトラメチルキシリレンジイソシアナート、キシリレンジイソシアナート、ナフチレンジイソシアナート、トリジンジイソシアナート、ｐ−フェニレンジイソシアナートなど；脂肪族又は脂環式ジイソシアナートとしては、ヘキサメチレンジイソシアナート、トリメチルヘキサメチレンジイソシアナート、イソホロンジイソシアナート、ジシクロヘキシルメタンジイソシアナート、シクロヘキシレンジイソシアナート、水素化キシリレンジイソシアナートなどが挙げられる。トリイソシアナート化合物を例示すると、トリフェニルメタントリイソシアナート、トリ（イソシアナトフェニル）トリホスフェートなどが挙げられ、多官能ポリイソシアナート化合物を例示すると、ポリメリック（ジフェニルメタンジイソシアナート）などが挙げられる。印刷版又は印刷原版の耐溶剤性の観点から、ジイソシアナート化合物が好ましく、芳香族ジイソシアナートがより好ましく、トリレンジイソシアナートがさらに好ましい。
【００２５】
ポリカーボネートジオールの末端水酸基の当量を超えるイソシアナート基当量とは、ポリイソシアナート化合物のイソシアナート基の当量（ｍｏｌ）が、ポリカーボネートジオールの末端水酸基の当量（ｍｏｌ）を超えることを意味する。該イソシアナート基当量としては、ポリカーボネートジオールの末端水酸基の当量を超えていれば制限はされないが、ポリカーボネートジオールの末端水酸基の当量の１０５〜１５０％当量であることが好ましく、１１０〜１４０％当量であることがより好ましい。
ヒドロキシアルキルアクリレート及び／又はヒドロキシアルキルメタクリレートとしては、例えば、該アクリレート化合物中のアルキル部分が炭素数２〜１０のアルキレン基などである化合物が好ましく、炭素数２又は３のアルキレン基などである化合物がより好ましい。ヒドロキシアルキルアクリレート及び／又はヒドロキシアルキルメタクリレートの具体例としては、ヒドロキシエチル（メタ）アクリレート、ヒドロキシプロピル（メタ）アクリレートなどが挙げられる。
このような樹脂（ａ）の中でも、下記式（５）で表されるポリマーが、極めて優れた耐溶剤性を示すことから好ましい。
【００２６】
【化６】
0005220443.tif 000007
【００２７】
（式中、Ｒｐは、各々独立して、前記式（１）で表される繰り返し単位からなるポリカーボネートジオールから両末端水酸基を除いた残基を表し、Ｒｑは、ジイソシアナート化合物からイソシアナート基を除いた残基を表し、Ｒｕは、ヒドロキシアルキルアクリレート及び／又はヒドロキシアルキルメタクリレートのアルキル部分を表し、ＲＳ、ＲＴは、各々独立して、メチル基又は水素原子を表し、ｍは、１以上の任意の整数を表す。）
前記式（４）及び式（５）において、Ｒｒ、Ｒｕとしては、炭素数２〜１０のアルキレン基が好ましく、より好ましくは、炭素数２〜５のアルキレン基であり、さらに好ましくは、エチレン基又はプロピレン基であり、よりさらに好ましくはエチレン基である。
【００２８】
樹脂（ａ）の製造方法としては、特に制限はされないが、例えば、以下の方法などにより樹脂（ａ）を製造することができる。前記ポリカーボネートジオールと、該ポリカーボネートジオールの末端水酸基の当量未満のイソシアナート基当量のポリイソシアナート化合物と、ウレタン化触媒とを５０〜９０℃で１〜５時間反応させた後、イソシアナトアルキル（メタ）アクリレートとウレタン化触媒とを加え、５０〜９０℃で１〜５時間反応させることにより、樹脂（ａ）を製造することができる。
また、前記ポリカーボネートジオールと、該ポリカーボネートジオールの末端水酸基の当量を超えるイソシアナート基当量のポリイソシナネート化合物と、ウレタン化触媒とを５０〜９０℃で１〜５時間反応させた後、ヒドロキシアルキル（メタ）アクリレートとウレタン化触媒とを加え、５０〜９０℃で１〜５時間反応させることにより、樹脂（ａ）を製造することができる。
【００２９】
［有機化合物（ｂ）］
本実施の形態の有機化合物（ｂ）は、重合性不飽和基を有する数平均分子量が１万未満の前記樹脂（ａ）とは異なる有機化合物である。樹脂（ａ）との希釈のし易さから数平均分子量は１万未満であり、好ましくは数平均分子量が５０００未満、更に好ましくは２０００未満である。低揮発性など取扱いの観点から好ましくは１００以上である。重合性不飽和基の定義は、ラジカル又は付加重合反応に関与する重合性不飽和基である。
本実施の形態において、数平均分子量が１万未満の重合性不飽和基を有した化合物（ｂ）は、単独で用いても２種以上を併用してもよい。有機化合物（ｂ）の含有量は、樹脂（ａ）１００質量部に対して１質量部以上、３００質量部以下が好ましく、より好ましくは５質量部以上２５０質量部以下、更に好ましくは１０質量部以上、２００質量部以下である。有機化合物（ｂ）の含有量が１質量部以上であると、樹脂硬化物が十分な機械的強度が得られる傾向にあるため好ましい。３００質量部以下であると、樹脂硬化物の硬化収縮が低減される傾向にあるため好ましい。
【００３０】
有機化合物（ｂ）の具体例としては、ラジカル反応性化合物として、エチレン、プロピレン、スチレン、ジビニルベンゼン等のオレフィン類、ポリブタジエン、ポリイソプレンなどのジエン類、アセチレン類、（メタ）アクリル酸及びその誘導体、ハロオレフィン類、アクリロニトリル等の不飽和ニトリル類、（メタ）アクリルアミド及びその誘導体、アリールアルコール、アリールイソシアネート等のアリール化合物、無水マレイン酸、マレイン酸、フマル酸等の不飽和ジカルボン酸及びその誘導体、酢酸ビニル類、Ｎ−ビニルピロリドン、Ｎ−ビニルカルバゾール等が挙げられる。その種類の豊富さ、価格、レーザー光照射時の分解性等の観点から（メタ）アクリル酸及びその誘導体が好ましい例である。該誘導体として、シクロアルキル基、ビシクロアルキル基、シクロアルケン基、ビシクロアルケン基などを有する脂環族化合物、ベンジル基、フェニル基、フェノキシ基、フルオレン基などを有する芳香族化合物、アルキル基、ハロゲン化アルキル基、アルコキシアルキル基、ヒドロキシアルキル基、アミノアルキル基、グリシジル基等を有する化合物、アルキレングリコール、ポリオキシアルキレングリコール、ポリアルキレングリコール、トリメチロールプロパン等の多価アルコールとのエステル化合物などが挙げられる。具体的な誘導体例としては、例えば、フェノキシエチルメタクリレート、フェノキシエチルアクリレート、トリメチロールプロパントリメタクリレート、トリメチロールプロパントリアクリレートなどが挙げられる。
【００３１】
また、有機化合物（ｂ）としての、付加重合反応するエポキシ基を有する化合物としては、種々のジオールやトリオールなどのポリオールにエピクロルヒドリンを反応させて得られる化合物、分子中のエチレン結合に過酸を反応させて得られるエポキシ化合物などを挙げることができる。具体的には、エチレングリコールジグリシジルエーテル、ジエチレングリコールジグリシジルエーテル、トリエチレングリコールジグリシジルエーテル、テトラエチレングリコールジグリシジルエーテル、ポリエチレングリコールジグリシジルエーテル、プロピレングリコールジグリシジルエーテル、トリプロピレングリコールジグリシジルエーテル、ポリプロピレングリコールジグリシジルエーテル、ネオペンチルグリコールジグリシジルエーテル、１，６−ヘキサンジオールジグリシジルエーテル、グリセリンジグリシジルエーテル、グリセリントリグリシジルエーテル、トリメチロールプロパントリグリシジルエーテル、ビスフェノールＡジグリシジルエーテル、水添化ビスフェノールＡジグリシジルエーテル、ビスフェノールＡにエチレンオキシド又はプロピレンオキシドが付加した化合物のジグリシジルエーテル、ポリテトラメチレングリコールジグリシジルエーテル、ポリ（プロピレングリコールアジペート）ジオールジグリシジルエーテル、ポリ（エチレングリコールアジペート）ジオールジグリシジルエーテル、ポリ（カプロラクトン）ジオールジグリシジルエーテル等のエポキシ化合物を挙げることができる。
【００３２】
また、有機化合物（ｂ）として多価チオール化合物を挙げる事ができる。多価チオール化合物としては、アルキル基にメルカプト基が結合したチオール、チオグリコール酸誘導体、およびメルカプトプロピオン酸誘導体等が挙げられる。なかでも、チオグリコール酸誘導体やメルカプトプロピオン酸誘導体は、任意のポリオールと、グリコール酸やメルカプトプロピオン酸とのエステル化により、さまざまな構造の多価チオールが得られる。
アルキル基にメルカプト基が結合したチオールとしては、ｏ−，ｍ−あるいはｐ−キシレンジチオール等が挙げられる。チオグリコール酸誘導体としては、エチレングリコールビスチオグリコレート、ブタンジオールビスチオグリコレート、ヘキサンジオールビスチオグリコレート、トリメチロールプロパントリスチオグリコレート、およびペンタエリスリトールテトラキスチオグリコレート等が挙げられる。メルカプトプロピオン酸誘導体としては、エチレングリコールビスチオプロピオネート、ブタンジオールビスチオプロピオネート、トリメチロールプロパントリスチオプロピオネート、ペンタエリスリトールテトラキスチオプロピオネート、およびトリヒドロキシエチルトリイソシアヌール酸トリスチオプロピオネート等が挙げられる。
【００３３】
これら重合性不飽和基を有する有機化合物（ｂ）は、印刷インキの溶剤である芳香族炭化水素やエステル等の有機溶剤に対する耐溶剤性の観点から、長鎖脂肪族の誘導体、脂環族の誘導体及び芳香族の誘導体からなる群より選ばれる少なくとも１種類以上の誘導体を有することが好ましい。
有機化合物（ｂ）は前記耐溶剤性の観点から、分子鎖中にカーボネート結合、エステル結合、エーテル結合からなる群から選ばれる少なくとも１種類の結合を有するか、及び／又は脂肪族飽和炭化水素鎖、及び脂肪族不飽和炭化水素鎖からなる群から選ばれる少なくとも１種類の分子鎖を有し、かつウレタン結合を有する化合物であることが、好ましい。その中でも、カーボネート結合を有する化合物又は脂肪族炭化水素鎖を有する化合物は、溶剤インキで多用される芳香族炭化水素系溶剤に対して特に高い耐溶剤性を示す。
【００３４】
［レーザー吸収剤（ｃ）］
本実施の形態の樹脂組成物は、レーザー吸収剤（ｃ）を含有する。一般に、有機化合物は近赤外線領域にレーザー波長に対応する吸収度が低い。そのため、近赤外線領域に波長を持つレーザーで印刷用原版を作製するには、レーザーの波長領域に吸収を持つレーザー吸収剤が必要になる。レーザー吸収剤としては、その波長領域に吸収を持つものであれば特に制限されないが、好適な例として、遠赤外スペクトル領域において強力に吸収する染料、例えばフタロシアニン、ナフタロシアニン、シアニン、キノン、金属錯体染料、例えばジチオレン、またはホトクロミック染料である。また、別の好適なレーザー吸収剤としては、無機顔料、特に濃く着色された無機顔料、例えば酸化クロム、酸化鉄、カーボンブラック、カーボンナノチューブ、フラーレンなどの炭素材料、または金属粒子である。レーザーに対する吸光度、取り扱い製の容易さなどからレーザー吸収剤として、特にカーボンブラックが好ましい。また、カーボンブラックがレーザーの彫刻時における彫刻閾値を下げる事は、例えば特許文献ＧＢ２０７１５７４Ａなどに記載されている。
【００３５】
カーボンブラック（ｃ）の平均１次粒径は、好ましくは４５ｎｍ〜７０ｎｍ、より好ましくは４５ｎｍ〜６８ｎｍである。樹脂組成物中の分散性の観点から４５ｎｍ以上であり、高解像度なレーザー彫刻という観点から７０ｎｍ以下である。また、カーボンブラック（ｃ）のＤＢＰ吸油量は、好ましくは４５ｍＬ／１００ｇより大きく、１５０ｍＬ／１００ｇ未満であり、より好ましくは４５ｍＬ／１００ｇより大きく、１３０ｍＬ／１００ｇ未満である。樹脂中の分散性の観点から５０ｍＬ／１００ｇ以上であり、高解像度なレーザー彫刻という観点から１３０ｍＬ／１００ｇ以下である。
カーボンブラックのｐＨとしては、分散性の観点から好ましくは５以下、より好ましくは４以下である。ｐＨを当該範囲に設定することは、カーボンブラックの凝集をより低減させ、カーボンブラックの配合量が少量でもレーザー光を効率良く吸収可能であり且つ光硬化も容易な印刷原版を実現させる観点からより好適である。
【００３６】
なお、本実施の形態における「平均１次粒径」、「ＤＢＰ吸油量」、「ｐＨ」は、後述の実施例における測定法に準じて測定できる。
本実施の形態の樹脂組成物において、前記（ｃ）成分の含有量は特に制限されないが、樹脂（ａ）１００質量部に対して、１質量部以上、１００質量部以下が好ましく、より好ましくは、３質量部以上８０質量部以下、更に好ましくは５質量部以上、６０質量部以下である。レーザー彫刻性の観点から１質量部以上が好ましい。印刷原版の製造効率の観点から１００質量部以下が好ましい。このとき、前記（ｃ）成分は単独で用いても良いし、２種類以上を添加しても良い。
【００３７】
［熱重合開始剤（ｄ）］
本実施の形態において、レーザー彫刻用印刷原版を得るために、熱重合開始剤（ｄ）を用いて樹脂組成物からなる樹脂層を熱硬化する。熱重合開始剤（ｄ）の含有量は特に制限されないが、樹脂（ａ）１００質量部に対し、０．１質量部以上、１０質量部以下が好ましく、より好ましくは０．３質量部以上、５質量部以下、更に好ましくは０．５質量部以上、５質量部以下である。熱重合開始剤（ｄ）の含有率が上記範囲であれば、樹脂組成物を十分に硬化させることができ、機械的強度の優れた熱硬化物を形成する事が可能となる。
【００３８】
成形加工時の温度幅を広く保つという観点から熱重合開始剤（ｄ）の熱安定性は高いことが好ましい。熱重合開始剤（ｄ）の熱安定性は、通常、１０時間半減期の温度１０ｈ−ｔ１／２の方法によって、即ち、熱重合開始剤（ｄ）の当初の量の５０％が、１０時間後に分解してフリーラジカルを形成する温度で示される。これに関する更なる詳細については、「Ｅｎｃｙｃｌｏｐｅｄｉａ  ｏｆ  Ｐｏｌｙｍｅｒ  Ｓｃｉｅｎｃｅ  ａｎｄ  Ｅｎｇｉｎｅｅｒｉｎｇ」，１１巻、１頁以降、Ｊｏｈｎ  Ｗｉｌｅｙ  ＆  Ｓｏｎｓ，ニューヨーク，１９８８年、に示されている。
特に好適な熱重合開始剤（ｄ）は、通常、好ましくは少なくとも６０℃、より好ましくは少なくとも７０℃の１０ｈ−ｔ１／２を有する。特に好ましくは８０℃〜１５０℃の１０ｈ−ｔ１／２である。
【００３９】
熱重合開始剤（ｄ）としては、熱硬化性の観点および樹脂組成物との相溶性の観点から有機過酸化物が特に好ましい。化合物の具体例としては、モノパーオキシカーボネート類、例えば、ｔ−ブチルパーオキシ−２−エチルヘキシルモノカーボネート、パーオキシエステル類、例えば、過オクタン酸ｔ−ブチル、過オクタン酸ｔ−アミル、パーオキシイソ酪酸ｔ−ブチル、パーオキシマレイン酸ｔ−ブチル、過安息香酸ｔ−アミル、ジパーオキシフタール酸ジ−ｔ−ブチル、過安息香酸ｔ−ブチル、過酢酸ｔ−ブチル及び２，５−ジ（ベンゾイルパーオキシ）−２，５−ジメチルヘキサン、ある種のジパーオキシケタール、例えば、１，１−ジ（ｔ−アミルパーオキシ）シクロヘキサン、１，１−ジ（ｔ−ブチルパーオキシ）シクロヘキサン、１，１−ジ（ｔ−ブチルパーオキシ）パーシクロヘキサン、２，２−ジ（ｔ−ブチルパーオキシ）ブタン、及びエチル３，３−ジ（ｔ−ブチルパーオキシ）ブチレート、ある種のジアルキルパーオキシド、例えば、ジ−ｔ−ブチルパーオキシド、ｔ−ブチルクミルパーオキシド、ジクミルパーオキシド及び２，５−ジ（ｔ−ブチルパーオキシ）−２，５−ジメチルヘキサン、ある種のジアシルパーオキシド、例えば、ジベンゾイルパーオキシド及びジアセチルパーオキシド、ある種のｔ−アルキルヒドロパーオキシド、例えばｔ−ブチルヒドロパーオキシド、ｔ−アミルヒドロパーオキシド、ピナンヒドロパーオキシド及びクミルヒドロパーオキシドである。また、気泡を含有させるクッション層を形成する際に好ましいものとして、アゾ化合物を挙げることができる。例えば、１−（ｔ−ブチルアゾ）ホルムアミド、２−（ｔ−ブチルアゾ）イソブチロニトリル、１−（ｔ−ブチルアゾ）シクロヘキサンカルボニトリル、２−（ｔ−ブチルアゾ）−２−メチルブタンニトリル、２，２’−アゾビス（２−アセトキシプロパン）、１，１’−アゾビス（シクロヘキサンカルボニトリル）、２，２’−アゾビス（イソブチロニトリル）及び２，２’−アゾビス（２−メチルブタンニトリル）等の化合物である。
【００４０】
［微粒子］
本実施の形態の樹脂組成物には、更に、無機系微粒子、有機系微粒子、有機無機複合微粒子等の微粒子を添加することができる。これらの微粒子を添加することにより熱硬化させて得られる樹脂硬化物の機械的物性の向上、樹脂硬化物表面の濡れ性改善、あるいは樹脂組成物の粘度の調整、樹脂硬化物の粘弾性特性の調整等が可能となる。無機系微粒子あるいは有機系微粒子の材質は特に限定するものではなく、公知のものを用いることができる。また、有機無機複合微粒子として、無機系微粒子の表面に有機物層あるいは有機系微粒子を形成した微粒子、あるいは有機系微粒子表面に無機物層あるいは無機微粒子を形成した微粒子等をあげることができる。
【００４１】
樹脂硬化物の機械的物性を向上させる目的では、窒化珪素、窒化ホウ素、炭化珪素等の剛性の高い無機系微粒子あるいはポリイミド等の有機系微粒子を用いることができる。更に、得られた樹脂硬化物の耐溶剤特性を向上させる目的で、無機系微粒子や、使用する溶剤への膨潤特性の良好な材質で形成された有機系微粒子を添加することもできる。
また、レーザー彫刻法により樹脂硬化物層表面あるいは樹脂硬化物を貫通したパターンを形成する目的のために、レーザー彫刻時に発生する粘稠性液状残渣の吸着除去特性に優れる数平均粒子径が５ｎｍ以上１０μｍ以下の多孔質微粒子、あるいは１次粒子の数平均粒子径が５ｎｍ以上１００ｎｍ以下の無孔質微粒子を添加しても構わない。特に限定するものではないが、例えば、多孔質シリカ、メソポーラスシリカ、シリカ−ジルコニア多孔質ゲル、ポーラスアルミナ、多孔質ガラス等を挙げることができる。
【００４２】
微粒子の粒子形状は特に限定するものではなく、球状、扁平状、針状、無定形、あるいは表面に突起のある粒子などを使用することができる。特に耐磨耗性の観点からは、球状粒子が好ましい。
また、微粒子の表面をシランカップリング剤、チタンカップリング剤、その他の有機化合物で被覆し表面改質処理を行い、より親水性化あるいは疎水性化した粒子を用いることもできる。これらの微粒子は１種類もしくは２種類以上のものを選択できる。
樹脂組成物に微粒子を用いる場合、特に制限されないが、樹脂（ａ）１００質量部に対して、１〜１００質量部が好ましく、２〜５０質量部の範囲がより好ましい。更に好ましい範囲は、２〜２０質量部である。
【００４３】
［安定剤］
本実施の形態の樹脂組成物には安定剤として、樹脂材料又はゴム材料の分野において通常使用されるものを添加することができる。その具体例としては、フェノール系酸化防止剤、ホスファイト系酸化防止剤等を挙げることができる。
フェノール系酸化防止剤の具体例としては、ビタミンＥ、テトラキス−（メチレン−３−（３’，５’−ジ−ｔ−ブチル−４’−ヒドロキシフェニル）プロピオネート）メタン、２，５−ジ−ｔ−ブチルハイドロキノン、２，６−ジ−ｔ−ブチル−ｐ−クレゾール、４，４’−チオビス−（６−ｔ−ブチルフェノール）、２，２’−メチレン−ビス−（４−メチル−６−ｔ−ブチルフェノール）、オクタデシル−３−（３’，５’−ジ−ｔ−ブチル−４’−ヒドロキシフェニル）プロピオネート、４，４’−チオビス−（６−ｔ−ブチルフェノール）、２−ｔ−ブチル−６−（３−ｔ−ブチル−２−ヒドロキシ−５−メチルベンジル）−４−メチルフェニルアクリレート、ペンタエリスリトールテトラキス（３−ラウリルチオプロピオネート）、ペンタエリスリトールテトラキス〔３‐（３，５−ジ−ｔ−ブチル−４‐ヒドロキシフェニル）プロピオネート］、２，６−ジ−（ｔ−ブチル）−４−メチルフェノール、２，２’−メチレンビス−（６−ｔ−ブチル−ｐ−クレゾール）、１，３，５−トリス（３，５−ｔ−ブチル−４−ヒドロキシベンジル）−１，３，５−トリアジン−２，４，６−（１Ｈ，３Ｈ，５Ｈ）−トリオン、２，６−ジ−ｔ−ブチル−４−（４，６−ビス（オクチルチオ）−１，３，５−トリアジン−２−イルアミノ）フェノール等を挙げることができる。
【００４４】
また、ホスファイト系酸化防止剤の具体例としては、２，２’−メチレンビス（４，６
−ジ−ｔ−ブチルフェニル）オクチルホスファイト、トリス（２，４−ジ−ｔ−ブチルフェニル）ホスファイト、トリフェニルホスファイト、トリス（ノニルフェニル）ホスファイト、トリス（２−エチルヘキシル）ホスファイト、トリスデシルホスファイト、トリス（トリデシル）ホスファイト、ジフェニルモノ（２−エチルヘキシル）ホスファイト、ジフェニルモノデシルホスファイト、ジデシルモノフェニルホスファイト、ジフェニルモノ（トリデシル）ホスファイト、ジラウリルハイドロジェンホスファイト、ジフェニルハイドロゲンホスファイト、テトラフェニルジプロピレングリコールジホスファイト、テトラフェニルテトラ（トリデシル）ペンタエリスリトールテトラホスファイト、テトラ（トリデシル）−４，４’−イソプロピリデンジフェニルジホスファイト、ビス（ノニルフェニル）ペンタエリスリトールジホスファイト、ジステアリルペンタエリスリトールジホスファイト、水添ビスフェノールＡ・ペンタエリスリトールホスファイトポリマー、ビス（２，４−ジ−ｔ−ブチルフェニル）ペンタエリスリトールジホスファイト、ビス（２，４−ジ−ｔ−ブチル−３−メチルフェニル）ペンタエリスリトールジホスファイト、及び下記式（１）〜（４）で表されるホスファイト化合物等が挙げられる。
【００４５】
これらの酸化防止剤は、単独で使用しても、２種以上を組み合わせて使用してもよい。特に、ヒンダードフェノール系酸化防止剤とリン系酸化防止剤との併用が好ましい。
樹脂組成物に安定剤を用いる場合特に限定されないが、樹脂（ａ）１００質量部に対して、０．０１〜１０質量部が好ましく、０．０５〜７．５質量部の範囲がより好ましい。更に好ましい範囲は、０．１〜５質量部である。
【００４６】
［その他添加物］
その他添加物として、樹脂組成物には用途や目的に応じて紫外線吸収剤、滑剤、界面活性剤、可塑剤、香料などを添加することができる。
樹脂組成物にその他添加物を用いる場合特に限定されないが、樹脂（ａ）１００質量部に対して、０．１〜２０質量部が好ましく、０．５〜１５質量部の範囲がより好ましい。更に好ましい範囲は、１〜１０質量部である。
【００４７】
［組成物の粘度］  
本実施の形態の樹脂組成物の５０℃における粘度は、好ましくは、５０℃において１０Ｐａ・ｓ以上１０ｋＰａ・ｓ以下である。さらに好ましくは、５０Ｐａ・ｓ以上５ｋＰａ・ｓ以下である。粘度が５０℃において１０Ｐａ・ｓ以上であれば、作製される印刷原版の機械的強度が十分であり、樹脂組成物を円筒状に成形する際であっても形状を保持し易く、加工し易い。粘度が５０℃において１０ｋＰａ・ｓ以下であれば、変形し易く、加工が容易である。特に厚み精度の高い印刷基材を得るためには、該樹脂組成物が重力により液ダレ等の現象を起こさないように粘度が５０℃において１０Ｐａ・ｓ以上、より好ましくは２０Ｐａ・ｓ以上、更に好ましくは５０Ｐａ・ｓ以上の樹脂組成物であることが望ましい。
【００４８】
［成形方法］
本実施の形態のレーザー彫刻原版用樹脂組成物から得られるレーザー彫刻印刷原版は、前記樹脂組成物を（ｉ）シート状あるいは円筒状支持体上に塗布し樹脂層を形成する工程、（ｉｉ）形成された樹脂層を熱硬化せしめる工程を含む方法により得られることが好ましい。
（ｉ）の工程においては、溶剤を使用しないことが、環境対応型である観点、塗布工程を簡略化する観点および樹脂中に気泡を有しない樹脂層を形成する観点から好ましい。
樹脂組成物をシート状、もしくは円筒状に塗布する方法は、既存の樹脂の塗布方法を用いることができる。例えば、注型法、ポンプや押し出し機等の機械で樹脂をノズルやダイスから押し出し、ブレードで厚みを合わせる、ロールによりカレンダー加工して厚みを合わせる方法等、スプレー等を用いて噴霧する方法が例示できる。その際、樹脂組成物が反応を起こさない範囲で加熱しながら成形を行うことも可能である。また、必要に応じて圧延処理、研削処理などをほどこしても良い。
【００４９】
グラビア印刷では、研磨処理された後の金属性シリンダー上に銅メッキを施す工程があり、その後彫刻、ハードクロムメッキ処理をする。本実施の形態では、直接金属シリンダー上に樹脂を塗布しても良いし、銅メッキやハードクロムメッキ処理を施した後に樹脂を塗布しても良い。
また、ＰＥＴやニッケルなどの素材からなるシート状支持体上に塗布する事や円筒状支持体（スリーブ）に直接塗布することも好ましい。円筒状支持体が、繊維強化プラスチック、フィルム強化プラスチック、金属、ゴムから選択される少なくとも１種類の材料を構成成分とする円筒状支持体であることが好ましい。また、ガラス繊維、アラミド繊維、炭素繊維等の繊維で強化されたポリエステル樹脂、エポキシ樹脂等のプラスチック製スリーブ、ポリエチレンテレフタレート等のポリエステルチューブ等の円筒状支持体を具体例として挙げることができる。円筒状支持体は中空状であることが、印刷版の軽量化および取り扱いの容易さの観点から好ましい。シート状支持体あるいは円筒状支持体の役割は、樹脂硬化物の寸法安定性を確保することである。したがって、寸法安定性の高いものを選択することが好ましい。
【００５０】
線熱膨張係数を用いて評価すると、好ましい材料の上限値は１００ｐｐｍ／℃以下、更に好ましくは７０ｐｐｍ／℃以下である。材料の具体例としては、ポリエステル樹脂、ポリイミド樹脂、ポリアミド樹脂、ポリアミドイミド樹脂、ポリエーテルイミド樹脂、ポリビスマレイミド樹脂、ポリスルホン樹脂、ポリカーボネート樹脂、ポリフェニレンエーテル樹脂、ポリフェニレンチオエーテル樹脂、ポリエーテルスルホン樹脂、全芳香族ポリエステル樹脂からなる液晶樹脂、全芳香族ポリアミド樹脂、エポキシ樹脂などを挙げることができる。また、これらの樹脂を積層して用いることもできる。また、多孔質性のシート、例えば繊維を編んで形成したクロスや、不織布、フィルムに細孔を形成したもの等をシート状支持体として用いることができる。シート状支持体として多孔質性シートを用いる場合、樹脂組成物を孔に含浸させた後に熱硬化させることで、樹脂硬化物層とシート状支持体とが一体化するために高い接着性を得ることができる。クロスあるいは不織布を形成する繊維としては、ガラス繊維、アルミナ繊維、炭素繊維、アルミナ・シリカ繊維、ホウ素繊維、高珪素繊維、チタン酸カリウム繊維、サファイア繊維などの無機系繊維、木綿、麻などの天然繊維、レーヨン、アセテート等の半合成繊維、ポリアミド、ポリエステル、アクリル、ビニロン、ポリ塩化ビニル、ポリオレフィン、ポリウレタン、ポリイミド、アラミド等の合成繊維を挙げることができる。また、バクテリアの生成するセルロースは、高結晶性ナノファイバーであり、薄くて寸法安定性の高い不織布を作製することのできる材料である。
【００５１】
前記工程（ｉｉ）では、シート状支持体あるいは円筒状支持体の寸法安定性や、樹脂組成物を円筒状支持体上に塗布した場合の円筒状支持体を回転させることによる重力方向の液ダレを効果的に抑制できる観点から、８０℃以上２５０℃以下に加熱する工程を有することが好ましい。より好ましくは、８０℃以上２００℃以下、更に好ましくは１００℃以上１５０℃以下である。これらの温度は、樹脂層表面の温度とする。
前記工程（ｉｉ）において、樹脂層を加熱する方法として、熱線を照射する方法、熱風を吹きつける方法、熱風が対流する雰囲気に曝される方法、加熱したロールと接触させる方法から選択される少なくとも１種類の方法を使用することが好ましい。特に作業性の容易さの観点から熱線を照射する方法、加熱したロールと接触させる方法が好ましい。熱線としては、近赤外線、赤外線を挙げることができる。
本実施の形態の樹脂組成物を熱硬化させて得られる印刷原版の厚みは、その使用目的に応じて２０μｍ以上５０ｍｍ以下の範囲で任意に設定して構わないが、印刷原版として用いる場合には、一般的に５０μｍ以上１０ｍｍ以下の範囲である。場合によっては、組成の異なる材料を複数積層していても構わない。
【００５２】
［クッション層］
印刷原版と支持体との間に、クッション層を有することもできる。該クッション層は、印刷工程での振動による衝撃を吸収する役割を果たす。クッション層としては、ショアＡ硬度が１０以上７０度以下、あるいはＡＳＫＥＲ−Ｃ型硬度計で測定したＡＳＫＥＲ−Ｃ硬度が２０度以上８５度以下のエラストマー層であることが好ましい。ショアＡ硬度が１０度以上あるいはＡＳＫＥＲ−Ｃ硬度が２０度以上である場合、適度に変形するため、印刷品質を確保することができる。また、ショアＡ硬度が７０度以下あるいはＡＳＫＥＲ−Ｃ硬度が８５度以下であれば、クッション層としての役割を果たすことができる。より好ましいショアＡ硬度の範囲は２０〜６０度、ＡＳＫＥＲ−Ｃ硬度では４５〜７５度の範囲である。ショアＡ硬度とＡＳＫＥＲ−Ｃ硬度は、クッション層に使用する材質により使い分けることが好ましい。２種類の硬度の違いは、測定に用いる硬度計の押針形状の違いに由来する。均一な樹脂組成の場合、ショアＡ硬度を用いることが好ましく、発泡ポリウレタン、発泡ポリエチレン等の発泡性基材のように不均一な樹脂組成の場合には、ＡＳＫＥＲ−Ｃ硬度を用いることが好ましい。ＡＳＫＥＲ−Ｃ硬度は、ＪＩＳ  Ｋ７３１２規格に準拠する測定法である。
【００５３】
［耐溶剤性］
本実施の形態において、耐溶剤性は下記で定義される質量変化率により評価した。質量変化率が低いほど版に溶剤が侵食しにくく、溶剤による版の膨潤が少ないことを意味し、耐溶剤性が優れていると評価する。印刷原版の各種溶剤に対する質量変化率は５０質量％以下である事が好ましく、更に好ましくは４０質量％以下である事が好ましい。これらの好適な範囲では印刷時に版の膨潤が抑えられ、数十万ｍのロングラン印刷でも文字の太りが無いなど優れた印刷品質を再現できる。
質量変化率は試験片の大きさが幅２ｃｍ、長さ５ｃｍ、厚さ１ｍｍの試験片を各種溶剤に温度２０℃の条件下で、２４時間浸漬させ、浸漬前後の質量増加分として下記（６）で定義する。
質量変化率（％）＝［浸漬後の質量（ｇ）／浸漬前の質量−１］＊１００      （６）  
【００５４】
［表面粗さ］
グラビア印刷では印刷版上のインキをドクターで掻き取る工程を含む。そのため、グラビア印刷における印刷原版及び印刷版表面の表面粗さは画像形成における重要な要素である。本実施の形態の印刷原版及び印刷版の印刷面上の中心線平均粗さＲａは０．０１μｍ以上、０．４μｍ以下である事が好ましい。さらに好ましくは０．０２μｍ以上、０．３μｍ以下である。これらの好適な範囲で表面粗さは、ドクターによるインキ掻き取り性に優れ、ドットの階調表現性が良く、非画像部のインキ残存量が問題のない程度に低減できる。
ここで、中心線平均粗さＲａは、粗さ曲線を中心線から折り返し、その粗さ曲線と中心線によって得られた面積を長さＬで割った値をマイクロメートル（μｍ）で表わす。
表面粗さを測定する方法としてはＪＩＳ  Ｂ０６５１に準拠する方法で測定を行う。
表面を加工する際には、切削、研削、研磨から選択される少なくとも１種類の方法で表面調整することが好ましい。切削加工のみを用いて表面を加工することも可能であるが、切削工程、もしくは研削工程後に研摩加工を行うと印刷原版の表面形状をより精密に調節できるため好ましい。
印刷原版表面の切削による加工としては、特に制限するものではないが、例えば旋盤、ボール盤、フライス盤、形削り盤、平削り盤、ＮＣ工作機械などの刃物による加工が挙げられる。
【００５５】
また、印刷原版表面の研削による加工としては、砥石による加工などが挙げられる。研削加工に用いられる研削砥石の材質は、特に制限するものではないが、例としてアルミナ系や炭化珪素系の材質が挙げられる。該砥石の材質としては、例えば、アルミナ系では褐色アルミナ、白色アルミナ、淡紅色アルミナ、解砕形アルミナ等が挙げられ、炭化珪素系では黒色炭化珪素、緑色炭化珪素等が挙げられる。
研削加工に用いられる研削砥石の砥粒の粒度については、８番以上、５０００番以下の砥石が好ましく用いられる。砥粒を結合させる結合剤の主要成分としては、例えば、長石可溶性粘度・フラックス、ベークライト人造樹脂、珪酸ソーダフラックス、天然・人造ゴム・硫黄、セラック天然樹脂、金属箔などが挙げられる。
【００５６】
印刷原版表面の研磨加工に用いる研磨体としては、特に制限するものでないが、例えば研磨紙、ラッピングフィルム、ミラーフィルムなどの研磨フィルム、研磨ホイールが挙げられる。
該研磨紙や該研磨フィルム表面上の研磨剤の材質としては、金属、セラミックス、炭素化合物から選択される少なくとも１種類の微粒子が好ましい。金属微粒子の例としては、クロム、チタン、ニッケル、鉄等の比較的硬質の材料が好ましい。また、セラミックスの具体例としては、アルミナ、シリカ、窒化珪素、窒化ホウ素、ジルコニア、珪酸ジルコニウム、炭化珪素などが挙げられる。アルミナ質砥粒の素材質としては、褐色アルミナ質、解砕型アルミナ質研摩剤、淡紅色アルミナ質研摩剤、白色アルミナ質研削剤、人造エメリー研削剤などが挙げられる。炭化珪素質砥粒の素材質としては黒色炭化珪素質研磨剤、緑色炭化珪素質研摩剤などが挙げられる。また、炭素化合物としては、ダイヤモンド、グラファイト等の化合物を挙げることができる。特に人造ダイヤモンドは研磨剤として好ましい。他の研磨剤の材質として、ガラスビーズなどのガラス系研磨剤、ナイロン、ポリカーボネート、ポリエステル、メチルメタルアクリレートなどの樹脂系研磨剤、クルミ殻、杏の種、桃の種などの植物系研磨剤などを用いることもできる。さらに、研磨布と上記の研磨剤を組み合わせて用いることも可能である。
【００５７】
研磨剤の数平均粒子径は、０．１μｍ以上１００μｍ以下のものが好ましい。より好ましい粒度は３μｍ以上１００μｍ以下である。さらに好ましくは粒度が９μｍ以上３０μｍ以下である。１００μｍ以下の範囲であれば印刷評価に好適に利用できる印刷原版が簡便に作成できる。
特に、得られる印刷原版の表面の凹凸を小さくすることにより、被印刷体へのインキ転移性や印刷品質を向上する点からは、研磨剤の数平均粒子径は２０μｍ以下であることが好ましい。一方、表面加工に要する時間を短縮化し、印刷原版の生産性を向上する点からは、研磨剤の数平均粒子径は１２μｍ以下であることが好ましい。
【００５８】
研磨ホイール表面の粒度としては、６０番から３０００番までが好ましく用いられる。研磨ホイールの材質としては、特に制限されるものではないが、鉄、アルミナ、セラミックス、炭素化合物、砥石、木、ブラシ、フェルト、コルクなどが挙げられる。
研磨紙や研磨フイルム等の支持体の厚み、材質などは特に制限するものではないが、厚みは１μｍ以上１０００μｍ以下の範囲が好ましい。より好ましくは１０μｍ以上５００μｍ、さらに好ましくは２５μｍ〜１２５μｍである。２５μｍ以上１２５μｍ以下の範囲であれば巻き取りなどの取り扱い性が簡便である。支持体の形状は特に制限するものではないが、ロール、ディスク、シート、ベルトなどが挙げられる。
【００５９】
また、研磨体を用いた研磨の際に液体を介在させない乾式研磨でも印刷原版表面の研磨は可能であるが、研磨力、研磨後の印刷原版表面の均一性、粉塵の発生が少ないこと、研磨中に発生する熱の除去などを考慮すると、液体を介在させながら印刷原版に研磨剤を接触させることが好ましい。使用する液体としては、特に限定するものではないが、例えば石油、機械油、アルカリ溶液、水などが挙げられる。
特に、研磨の際に介在させる液体として、水を用いることによって他の液体を用いるよりも印刷原版の変性が少なくなり、また廃液の処理も容易となる。
本実施の形態においては表面調整の好ましい別の態様として、金属、セラミックス、炭素化合物等から選択される少なくとも１種類の物質からなる数平均粒子径が０．１μｍ以上１００μｍ以下程度の微粒子を印刷原版表面に衝突させる方法も挙げられる。
微粒子を印刷原版に衝突させる方法は、特に限定されるものではないが、例えばサンドブラスト、ショットブラスト、エアーブラスト、ブロワブラストなどが挙げられる。また、微粒子の材質としては、特に限定するものではないが、例えばガラスビーズなどのガラス系粒子、ナイロン、ポリカーボネート、ポリエステル、メチルメタルアクリレートなどの樹脂系粒子、クルミ殻、杏の種、桃の種などの植物系粒子などが挙げられる。
【００６０】
［レーザー］
印刷原版表面に、レーザー彫刻法を用いて凹凸部を形成して印刷版として使用する場合、レーザー彫刻法においては、形成したい画像をデジタル型のデータとしてコンピューターを利用してレーザー装置を操作し、印刷原版にレリーフ画像を作成する。レーザー彫刻に用いるレーザーは、樹脂硬化物層が吸収を有する波長を含むものであればどのようなものを用いてもよい。彫刻を高速度で行うためには出力の高いものが望ましく、炭酸ガスレーザー、ファイバーレーザー、ＹＡＧレーザー、半導体レーザー等の赤外線あるいは赤外線放出固体レーザーが好ましい。しかし、レーザーの波長としてはファイバーレーザーのようにレーザー波長が２μｍ以下のものを用いる方が、高解像度な彫刻版を得るのに好ましい。また、可視光線領域に発振波長を有するＹＡＧレーザーの第２高調波、銅蒸気レーザー、紫外線領域に発振波長を有する紫外線レーザー、例えばエキシマレーザー、第３あるいは第４高調波へ波長変換したＹＡＧレーザーは、有機分子の結合を切断するアブレージョン加工が可能であり、微細加工に適する。また、レーザーは連続照射でも、パルス照射でも良い。
レーザーによる彫刻は酸素含有ガス下、一般には空気存在下もしくは気流下に実施するが、炭酸ガス、窒素ガス下でも実施できる。彫刻終了後、レリーフ印刷版面にわずかに発生する粉末状もしくは液状の物質は適当な方法、例えば溶剤や界面活性剤の入った水等で洗いとる方法、高圧スプレー等により水系洗浄剤を照射する方法、高圧スチームを照射する方法などを用いて除去しても良い。
【００６１】
［印刷版］
本実施の形態の印刷版は、前記印刷原版をレーザーで彫刻することにより表面に凹凸形成し得られうる。また、高解像度な印刷パターンが要求される場合、発振波長２μｍ以下のレーザーで彫刻されることが好ましい。
本実施の形態の印刷版は特に限定されないが、グラビア印刷、フレキソ印刷、レタープレス印刷、ドライオフセット印刷、ロータリースクリーン印刷などの用途で用いることが出来る。また、印刷版を鋳型として使用し、該印刷版表面と、熱可塑性樹脂、熱硬化性樹脂、光硬化性樹脂が接触し、前記印刷版表面の凹部パターンが転写される用途で用いることもできる。
【００６２】
［表面処理］
本実施の形態の印刷版は研磨後もしくはレーザー彫刻後、表面に改質層を形成させる事により、印刷版のタックを低減したり、インク濡れ性を向上させる事もできる。改質層としては、シランカップリング剤あるいはチタンカップリング剤等の表面水酸基と反応する化合物で処理した被膜、ダイヤモンドライクカーボン（ＤＬＣ）被膜等を挙げる事ができる。
【実施例】
【００６３】
本実施の形態を更に詳細に説明するために、以下に、実施例及び比較例を示すが、これらの実施例は本実施の形態の説明及びそれによって得られる効果などを具体的に示すものであって、本実施の形態を何ら制限するものではない。なお、以下の実施例及び比較例における諸特性は、下記の方法に従って測定した。
＜測定方法＞
（１）カーボンブラックの平均１次粒径
カーボンブラックの平均１次粒径は日立製作所社製透過型電子顕微鏡ＨＦ−２０００を用いて１次粒径を観察し、その１０点の平均値を平均１次粒径とした。電子線の加速電圧は５０ｋＶで測定を行った。
（２）カーボンブラックのＤＢＰ吸油量の測定方法
ＪＩＳ  Ｋ  ６２１７−４：２００１に準じて測定した。
（３）カーボンブラックのｐＨの測定方法
ＪＩＳ  Ｚ  ８８０２−１９８４に準じて測定した。
【００６４】
（４）ポリカーボネートジオールのＯＨ価
無水酢酸１２．５ｇをピリジン５０ｍｌでメスアップしアセチル化試薬を調製した。１００ｍｌナスフラスコに、サンプルを１．０ｇ精秤した。アセチル化試薬２ｍｌとトルエン４ｍｌをホールピペットで添加後、冷却管を取り付けて、１００℃で１時間撹拌加熱した。蒸留水１ｍｌをホールピペットで添加、さらに１０分間加熱撹拌した。
２〜３分間冷却後、エタノールを５ｍｌ添加し、指示薬として１％フェノールフタレイン／エタノール溶液を２〜３滴入れた後に、０．５ｍｏｌ／ｌエタノール性水酸化カリウムで滴定した。
空試験としてアセチル化試薬２ｍｌ、トルエン４ｍｌ、蒸留水１ｍｌを１００ｍｌナスフラスコに入れ、１０分間加熱撹拌した後、同様に滴定を行った。この結果をもとに、下記数式（ｉ）を用いてＯＨ価を計算した。
ＯＨ価（ｍｇ−ＫＯＨ／ｇ）＝｛（ｂ−ａ）×２８．０５×ｆ｝／ｅ        （ｉ）
ａ：サンプルの滴定量（ｍｌ）
ｂ：空試験の滴定量（ｍｌ）
ｅ：サンプル質量（ｇ）
ｆ：滴定液のファクター  
【００６５】
（５）ポリカーボネートジオールの分子量
実施例、比較例中のポリカーボネートジオールの末端は、１３Ｃ−ＮＭＲ（２７０ＭＨｚ）の測定により、実質的に全てがヒドロキシル基であった。また、ポリカーボネートジオール中の酸価をＫＯＨによる滴定により測定したところ、実施例、比較例の全てが０．０１以下であった。
そこで、得られたポリマーの数平均分子量を下式（ｉｉ）により求めた。
数平均分子量Ｍｎ＝２／（ＯＨ価×１０―３／５６．１１）          （ｉｉ）
（６）粘度の測定
樹脂組成物の粘度は、東京計器社製のＢ型粘度計「Ｂ８Ｈ型」（商標）を用いて５０℃で測定した。
【００６６】
（７）樹脂（ａ）の数平均分子量の測定
樹脂（ａ）の平均分子量は、ＧＰＣ法を用いて求めた多分散度（Ｍｗ／Ｍｎ）が１．１より大きいものであったため、ＧＰＣ法で求めた数平均分子量Ｍｎを採用した。具体的には、樹脂（ａ）の数平均分子量は、ゲル浸透クロマトグラフ法（ＧＰＣ法）を用いて、分子量既知のポリスチレンで換算して求めた。東ソー社製の高速ＧＰＣ装置「ＨＬＣ−８０２０」（商標）と東ソー社製のポリスチレン充填カラム「ＴＳＫｇｅｌ  ＧＭＨＸＬ」（商標）を用い、テトラヒドロフラン（ＴＨＦ）で展開して測定した。カラムの温度は４０℃に設定した。ＧＰＣ装置に注入する試料としては、樹脂濃度が１ｗｔ％のＴＨＦ溶液を調製し、注入量１０μｌとした。また、検出器としては、樹脂紫外吸収検出器を使用し、モニター光として２５４ｎｍの光を用いた。
【００６７】
（８）重合性不飽和基の数の測定
樹脂（ａ）の分子内に存在する重合性不飽和基の平均数は、未反応の低分子成分を液体クロマトグラフ法を用いて除去した後、核磁気共鳴スペクトル法（ＮＭＲ法、Ｂｒｕｋｅｒ  Ｂｉｏｓｐｉｎ社製「Ａｖａｎｃｅ  ６００」（商標））を用いて分子構造解析し求めた。例えば「１．７官能」とは、分子内に存在する重合性不飽和基の平均数が１．７個であることを意味する。
（９）質量変化率
質量変化率は以下の方法で測定した。レーザー彫刻用印刷原版を幅２ｃｍ、長さ５ｃｍ、厚さ１ｍｍに切り、試験片を作製し、あらかじめ、試験片の質量を測定し、その試験片をサンプル瓶に入れて溶剤（トルエン、キシレン、酢酸エチル）に入れ、サンプル瓶の蓋をして、温度２０℃、２４時間浸漬した。その後、再び試験片の質量を測定し、以下の式（ｉｉｉ）により、質量変化率を算出した。
質量変化率（％）＝［浸漬後の質量（ｇ）／浸漬前の質量−１］＊１００    （ｉｉｉ）
【００６８】
（１０）表面粗さ測定
表面粗さは小坂研究所社製の表面粗さ測定機「ＳＥ５００」（商標）を用いて、触針Ｒ２μｍ，  カットオフλｃ＝０．８ｍｍ、測定長さ４ｍｍ、送り速さ０．５ｍ／ｓの条件で測定し、中心線平均粗さＲａを評価した。
（１１）彫刻深さ
後述するレーザー彫刻後の試験片の彫刻深さはオリンパス社製の顕微鏡「ＢＸ−６１」（商標）を用いて、彫刻されたグラデーションのシャドウ部セルの底と土手（未彫刻の部分）の差を測定した。
（１２）彫刻形状
彫刻形状は彫刻部と未彫刻部の境界部分（エッジ）が滑らかに彫刻されているか、粗く彫刻されているかを目視で判断した。
【００６９】
＜製造方法＞
（１）樹脂組成物の成形
樹脂組成物の支持体としてポリエステルフィルム（ＰＥＴ）を用いた。ＰＥＴ上に樹脂組成物を塗工し、樹脂上面に離型処理されたＰＥＴを貼り付け、厚さが１ｍｍになるようにプレス成形した。この時、プレスの温度は１３０℃で３０分間加熱し、樹脂組成物を硬化し、レーザー彫刻用印刷原版を作製した。次に研磨ホイール３０００番を用いてレーザー彫刻用印刷原版の表面を研磨した。
（２）レーザー彫刻
レーザー彫刻は、ＥＳＫＯ社製のファイバーレーザー彫刻機「Ｓｐａｒｋ４２６０」（商標）（波長１μｍ）を用いて行った。彫刻条件として、シリンダーの回転数２００ｒｐｍ、レーザー出力６２．９５２Ｗ、エネルギーは１２Ｊ／ｃｍ２である。彫刻画像は解像度２４５０ｄｏｔ  ｐｅｒ  ｉｎｃｈ、線数１７５Ｌｉｎｅｓ  ｐｅｒ  ｉｎｃｈで作成した。画像はグラビア印刷におけるセルのグラデーションパターン、細字３ｐｔ、５ｐｔ、７ｐｔを明朝体で作製した。
【００７０】
［製造例１］
規則充填物ヘリパックパッキンＮｏ．３を充填した、充填高さ３００ｍｍ、内径３０ｍｍの蒸留塔、及び分留頭を備えた５００ｍｌ四口フラスコに、ジエチレングリコール２１４ｇ（２．０１ｍｏｌ）、エチレンカーボネート１８６ｇ（２．１２ｍｏｌ）を仕込み、７０℃で撹拌溶解し、系内を窒素置換した後、触媒としてテトラブトキシチタンを０．１７７ｇを加えた。このフラスコを、フラスコの内温が１４５〜１５０℃、圧力が２．５〜３．５ｋＰａとなるように、分留頭から還流液の一部を抜き出しながら、オイルバスで加熱し、２２時間反応した。その後、充填式蒸留塔を外して、単蒸留装置に取り替え、フラスコの内温１７０℃に上げ、圧力を０．２ｋＰａまで落として、フラスコ内に残った、ジエチレングリコール、エチレンカーボネートを１時間かけて留去した。その後、フラスコの内温１７０℃、圧力０．１ｋＰａでさらに５時間反応した。この反応により、室温で粘稠な液状のポリカーボネートジオールが１７４ｇ得られた。得られたポリカーボネートジオールのＯＨ価は６０．９（数平均分子量Ｍｎ＝１８４３）であった。
【００７１】
撹拌機を備えた３００ｍｌのセパラブルフラスコにこのポリカーボネートジオール６５．０ｇ、リン酸モノブチル０．０５ｇを入れ、８０℃で３時間撹拌することにより、テトラブトキシチタンを失活させた。その後、トリレンジイソシアネート４．６３ｇ、２，６−ジ−ｔｅｒｔ−ブチル−４−メチルフェノール０．０７ｇ、アジピン酸０．０１ｇ、ジ−ｎ−ブチルスズジラウレート０．００１ｇを加えて、乾燥空気雰囲気で８０℃で３時間撹拌した。その後、２−メタクリロイルオキシエチルイソシアネート２．７７ｇ、ジ−ｎ−ブチルスズジラウレート０．００１ｇを加えて、乾燥空気雰囲気で８０℃で２時間撹拌した。この段階で、赤外分光分析によりポリカーボネートジオールの末端水酸基がウレタン結合により連結され、且つ二重結合を有すことを確認し、末端がメタアクリル基（分子内の重合性不飽和基が１分子あたり平均約１．８個）であり、数平均分子量約７０００の樹脂（Ｌｐ−Ａ）を調製した。
【００７２】
［製造例２］
温度計、攪拌機、還流器を備えた２Ｌのセパラブルフラスコに旭化成株式会社製のポリカーボネートジオール「ＰＣＤＬ  Ｔ４６７２」（商標）（数平均分子量２０５９、ＯＨ価５４．５）１３１８ｇとトリレンジイソシアナート７６．８ｇを加え、８０℃加温下で約３時間反応させた後、２−メタクリロイルオキシイソシアネート５２．６ｇを添加し、さらに約３時間反応させて、末端がメタアクリル基（分子内の重合性不飽和基が１分子あたり平均約１．７個）である数平均分子量約７０００の樹脂（Ｌｐ−Ｂ）を調製した。
【００７３】
［実施例１］
樹脂（ａ）として製造例１より得られたＬｐ−Ａ１００質量部に対して、有機化合物（ｂ）としてフェノキシエチルメタクリレート（数平均分子量２０６）１８．７５質量部、もう一つの有機化合物（ｂ）としてトリメチロールプロパントリメタクリレート（数平均分子量３３８．４）６．２５質量部を加え、さらに、樹脂（ａ）１００質量部に対してレーザー吸収剤（ｃ）として東海カーボン社製のカーボンブラック「ＴＢ＃Ａ７００Ｆ」（商標）（平均１次粒径６２ｎｍ、ＤＢＰの吸油量１２１ｍＬ／１００ｇ）１２．５質量部、熱重合開始剤（ｄ）として、日本油脂株式会社製の１，１−ジ（ｔ−ブチルパーオキシ）パーシクロヘキサン「パーヘキサＣ−７５（ＥＢ）」（商標）１．２５質量部を加えて５０℃で撹拌しながら、１３ｋＰａに減圧して脱泡し、室温で粘稠な液体状の組成物を得た。さらに、樹脂組成物を東洋精機社製のラボプラストミルで３０分混練した。その後、得られた樹脂組成物を前記の方法で、支持体上に塗工、成形、レーザー彫刻、印刷を行った。
【００７４】
［実施例２］
レーザー吸収剤（ｃ）として東海カーボン社製のカーボンブラック「ＴＢ＃Ａ７００Ｆ」６．２５質量部とした以外は実施例１と同様にした。
【００７５】
［実施例３］
樹脂（ａ）としてＬｐ−Ａ１００質量部に、有機化合物（ｂ）としてフェノキシエチルメタクリレート５０質量部、もう一つの有機化合物（ｂ）としてトリメチロールプロパントリメタクリレート１６質量部、東海カーボン社製のカーボンブラック「ＴＢ＃Ａ７００Ｆ」（商標）（平均１次粒径６２ｎｍ、ＤＢＰの吸油量１２１ｍＬ／１００ｇ）１６．７質量部、熱重合開始剤（ｄ）として、日本油脂株式会社製の１，１−ジ（ｔ−ブチルパーオキシ）パーシクロヘキサン「パーヘキサＣ−７５（ＥＢ）」（商標）１．６７質量部、その他添加剤としてリン酸トリフェニル１．６７質量部とした以外は実施例１と同様にした。
【００７６】
［比較例１］
樹脂（ａ）として、製造例２により得られたＬｐ−Ｂを用いた以外は実施例１と同様にした。
【００７７】
［比較例２］
樹脂（ａ）として旭化成ケミカルズ社製のポリブタジエン組成物「ジエン５３１」（商標）以外は実施例１と同様にした。
上記各実施例及び比較例の組成及び試験結果を表１にまとめた。
実施例と比較例の質量変化率を比較すると、何れの条件においても実施例の方が各種溶剤に対する質量変化率が小さく、耐溶剤性に優れたレーザー彫刻が可能な印刷原版およびその製造に適した樹脂組成物が本発明によって達成されていることが分かる。
【００７８】
【表１】
0005220443.tif 000008
【産業上の利用可能性】
【００７９】
本発明はレーザー彫刻による高解像度なグラビア、フレキソ、ドライオフセットなどの印刷版用レリーフ画像形成に最適である。また、電子部品の導体、半導体、絶縁体、パターン形成、光学部品の反射防止膜、カラーフィルター、（近）赤外線カットフィルター等の機能性材料のパターン形成、更には液晶ディスプレイあるいは有機エレクトロルミネッセンスディスプレイ等の表示素子の製造における配向膜、下地層、発光層、電子輸送層、封止材層の塗膜・パターン形成に適したレーザー彫刻可能な印刷原版に用いる事のできる円筒状印刷基材として最適である。